(57)【要約】【課題】  画像とこの画像を転写すべき通帳類とを一致させて正しい画像を確実に転写できるようにする。【解決手段】  移動自在な中間転写フィルム２１を有し、その移動方向に亘って複数の画像Ｓ１〜Ｓ３を印刷するとともに、複数の画像Ｓ１〜Ｓ３の近傍にその画像を転写すべき通帳類の管理情報を印刷する印刷部１６と、この印刷部１６により中間転写フィルム２１に印刷された複数の画像Ｓ１〜Ｓ３を転写位置で複数の通帳類に転写する転写部１７と、転写位置に画像が移動されるのに先だってその画像に対応する管理情報を読み取る読取センサ５０と、この読取センサ５０により読み取られた管理情報に対応する画像とこの画像が転写される通帳類とが一致するか否かを判別する判別部５２と、この判別部５２の判別情報に基づいて前記画像とこの画像が転写される通帳類とが一致するように中間転写媒体２１の移動を制御する制御部１２とを具備する。【選択図】      図２
2005231183.tif 000002
【特許請求の範囲】
【請求項１】
予め固有情報が記録された複数の通帳類を所定間隔を存して搬送する搬送手段と、
搬送される中間転写媒体を有し、その搬送方向に亘って複数の画像を印刷するとともに、前記複数の画像の近傍にその画像を転写すべき前記通帳類の管理情報を印刷する印刷手段と、
この印刷手段により前記中間転写媒体に印刷された複数の画像を転写位置で前記複数の通帳類に転写する転写手段と、
前記転写位置に前記画像がくるように前記中間転写媒体が搬送されるのに先だってその画像に対応する管理情報を読み取る読取手段と、
この読取手段により読み取られた管理情報に対応する画像とこの画像が転写される通帳類とが対応しているか否かを判別する判別手段と、
この判別手段の判別情報に基づいて前記画像とこの画像が転写される通帳類とが対応するように前記中間転写媒体の移動を制御する制御手段と
を具備することを特徴とする印刷装置。
【請求項２】
前記通帳類の管理情報は前記通帳類の固有情報に基づいて作成されることを特徴とする請求項１記載の印刷装置。
【請求項３】
前記通帳類の管理情報は、黒色バーマークのビット情報、バーコード、或いは数値で表わされることを特徴とする請求項１記載の印刷装置。
【請求項４】
予め固有情報が記録された複数の通帳類を所定間隔を存して搬送する搬送工程と、
搬送される中間転写媒体にその搬送方向に亘って複数の画像を印刷するとともに、前記複数の画像の近傍にその画像を転写すべき前記通帳類の管理情報を印刷する印刷工程と、
この印刷工程により前記中間転写媒体に印刷された複数の画像を転写位置で前記複数の通帳類に転写する転写工程と、
前記転写位置に前記画像が移動されるように前記中間転写媒体が搬送されるのに先だってその画像に対応する管理情報を読み取る読取工程と、
この読取工程により読み取られた管理情報に対応する画像とこの画像が転写される通帳類とが対応しているか否かを判別する判別工程と、
この判別工程の判別情報に基づいて前記画像とこの画像が転写される通帳類とが対応するように前記中間転写媒体の移動を制御する制御工程と
を具備することを特徴とする印刷方法。
【発明の詳細な説明】
【技術分野】
【０００１】
本発明は、例えば、金融機関やＩＤカードとして用いられる通帳類の印刷装置及び印刷方法に関する。
【背景技術】
【０００２】
セキュリティ情報を印刷する通帳類やカード状の印刷物において、所持人情報などの固有記載情報が印刷された出来上がり印刷物のセキュリティの重要性向上を考える場合、固有情報が印刷される前の印刷対象物そのものの盗難、盗難に伴う偽変造、などに対する対策が求められている。この対策の一つとして、通帳類やカード状の印刷対象物の製造工程で、印刷対象物そのものに固有の情報を付与しておくことが考えられる。
【０００３】
この印刷対象物の固有情報と、後から印刷するセキュリティ情報の両方を同時に組み合わせて管理することで、未使用印刷対象の盗難で偽造されたセキュリティ印刷物の発見、加えて、変造や全くの偽造印刷物の発見や抑止にも効果がある。
【０００４】
この場合さらに望ましくは、印刷対象物の固有情報をそのまま、もしくは加工して、後から印刷するセキュリティ情報の一部に加えて印刷することである。
【０００５】
ところで、通帳類へのセキュリティ印刷情報に中間転写方式を用いた場合、中間転写ユニット内の、中間転写フィルム上への情報印刷部（以下、印刷部という）と、通帳類へのオーバーコート転写部（以下、転写部という）には機構的な制約により距離がある。
【０００６】
このため、通帳類を１冊ずつ作成する場合には、中間転写フィルム上への印刷動作後に、フィルム該当部分を転写部へ搬送し、この転写部で印刷情報を通帳類へ転写している。
【０００７】
この場合、続けて次の印刷データを形成すると、中間転写フィルムに印刷部と転写部の距離に相当する「未使用エリア」が発生してしまうため、中間転写フィルムの巻き戻し動作は欠かせないものであった。
【０００８】
しかし、上記方法によると通帳類への連続印刷時間を考える場合、印刷部での中間転写フィルムヘの情報印刷動作と、転写部でのオーバーコート転写動作の動作時間を足し合わせた時間以上に必要となり、処理時間の短縮を考える場合に問題となっていた。
【０００９】
この動作時間の短縮に対しては、印刷部と転写部の間に存在する中間転写フィルムに、予め印刷画像を印刷、ストックしておくことに加え、印刷部と転写部の間に中間転写フィルムを大幅にたるませるバッファを持たせることで、印刷部と転写部の影響を排除する方法が提案されていた。
【００１０】
一方、通帳類に予め付与された通帳類固有情報を、通帳類作成装置内部の一連動作中に読み取り、印刷するセキュリティ情報に組み込む動作を中間転写印刷方式と組み合わせる場合、印刷動作が開始される前に通帳類固有情報を印刷部がデータとして認識、処理しておく必要がある。
【００１１】
このため、光学式文字読取装置などで通帳類固有情報を読み取る動作の制約として、前出の印刷画像を中間転写フィルム上にストックしておくストック画像数に応じて、通帳類固有情報の読み取りも先行して実施し、搬送路上に通帳類をストックしておく必要がある（例えば、特許文献１参照。）。
【特許文献１】特願２００１−２９０２５５号公報
【発明の開示】
【発明が解決しようとする課題】
【００１２】
従来の技術で述べたように転写対象物である複数の通帳類を装置内の搬送路（以下、搬送バッファという）に取り込んで蓄え（以下、ストック通帳という）、さらに蓄えた分の印刷画面を中間転写フィルム上に予め印刷（以下、ストック画像という）した場合、そのストックした通帳類に該当のストック画像を転写する際、ストック通帳と転写すべきストック画像は１対１で決まっているため、転写部でそれに合ったストック画像の画面位置出しが必要となる。
【００１３】
仮に、転写部で転写対象となる通帳類に異なった印刷情報を転写してしまった場合、その通帳類は廃棄対象となってしまう。
【００１４】
また、搬送バッファで蓄えたストック通帳類の搬送でジャム等が発生し、ジャム通帳だけを装置内から取り除いた場合、ストック画像の順序と搬送バッファに蓄えられた残っている転写対象のストック通帳類との並びが異なることになる。
【００１５】
このため、ジャム発生後の転写動作が継続不能となるとともに、予め印刷が完了していたストック画像も全て無駄になってしまう問題があった。
【００１６】
本発明は上記事情に着目してなされたもので、その目的とするところは、中間転写媒体に印刷された画像とこの画像が転写される通帳類とが一致した場合のみ画像を転写できるようにした印刷装置及び印刷方法を提供することにある。
【課題を解決するための手段】
【００１７】
上記課題を解決するため、請求項１記載のものは、予め固有情報が記録された複数の通帳類を所定間隔を存して搬送する搬送手段と、搬送される中間転写媒体を有し、その搬送方向に亘って複数の画像を印刷するとともに、前記複数の画像の近傍にその画像を転写すべき前記通帳類の管理情報を印刷する印刷手段と、この印刷手段により前記中間転写媒体に印刷された複数の画像を転写位置で前記複数の通帳類に転写する転写手段と、前記転写位置に前記画像がくるように前記中間転写媒体が搬送されるのに先だってその画像に対応する管理情報を読み取る読取手段と、この読取手段により読み取られた管理情報に対応する画像とこの画像が転写される通帳類とが対応しているか否かを判別する判別手段と、この判別手段の判別情報に基づいて前記画像とこの画像が転写される通帳類とが対応するように前記中間転写媒体の移動を制御する制御手段とを具備する。
【００１８】
請求項４記載のものは、予め固有情報が記録された複数の通帳類を所定間隔を存して搬送する搬送工程と、搬送される中間転写媒体にその搬送方向に亘って複数の画像を印刷するとともに、前記複数の画像の近傍にその画像を転写すべき前記通帳類の管理情報を印刷する印刷工程と、この印刷工程により前記中間転写媒体に印刷された複数の画像を転写位置で前記複数の通帳類に転写する転写工程と、前記転写位置に前記画像が移動されるように前記中間転写媒体が搬送されるのに先だってその画像に対応する管理情報を読み取る読取工程と、この読取工程により読み取られた管理情報に対応する画像とこの画像が転写される通帳類とが対応しているか否かを判別する判別工程と、この判別工程の判別情報に基づいて前記画像とこの画像が転写される通帳類とが対応するように前記中間転写媒体の移動を制御する制御工程とを具備する。
【発明の効果】
【００１９】
本発明によれば、通帳類に誤った画像を転写することを防止でき、中間転写媒体及び通帳類の無駄な消費を防ぐことができる。
【発明を実施するための最良の形態】
【００２０】
以下、本発明を図面に示す実施の形態を参照して詳細に説明する。  
図１は本発明の一実施の形態である通帳類印刷装置１を示す全体構成図である。
【００２１】
この通帳類印刷装置１は通帳類取込部４を備え、この通帳類取込部４には通帳類Ｔが閉じた状態で複数冊積層されてセットされ、一冊ずつ取り込まれるようになっている。この取込まれた通帳類Ｔは搬送手段としての複数個の搬送ローラ対２によって搬送路３に沿って搬送される。搬送路３中には通帳類Ｔの搬送方向に沿って第１のＯＣＲ読取部５、ページ捲り部６、直接印刷部７、搬送バッファ部９，１０、中間転写印刷装置８が配設されている。搬送路３の排出端側には排出される通帳類Ｔを集積する通帳排出部１１が設けられている。
【００２２】
図２は、上記した中間転写印刷装置８を示すものである。
【００２３】
中間転写印刷装置８は機能的に情報印刷部（以下、印刷部という）１６と、転写手段としてのオーバーコート転写部（以下、転写部という）１７とを有して構成されている。
【００２４】
印刷部１６としては熱溶融転写印刷方式のものが採用されている。即ち、印刷ヘッドとしてのサーマルヘッド１９とプラテンローラ２０に挟まれるように溶融インクリボン２２と中間転写媒体としての中間転写フィルム２１とを配置し、サーマルヘッド１９の発熱により溶融インクリボン２２のインクを中間転写フィルム２１の表面に転写して情報等を印刷する。
【００２５】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２６】
溶融インクリボン２２のベースフィルム厚やインク層厚は、印刷ドット再現性に極めて重要なパラメータであり、インクリボン層厚としては３〜２５μｍであり、望ましくは４〜１０μｍである。
【００２７】
一方、中間転写フィルム２１の後述するベースフィルムの厚さや、受像兼接着層厚は、接着性や膜切れ特性に影響を与えるパラメータであり、中間転写フィルム２１の層厚は、１０〜１００μｍであり、望ましくは２５〜５０μｍである。
【００２８】
プラテンローラ２０は硬質のゴム材料を表面に用いたローラで、ゴム硬度が上がるほどに微小ドットの再現性が向上するが、一方では最適なプラテンローラ２０とサーマルヘッド１９の位置関係を得ることが難しくなる。このため、硬度は７５°以上、望ましくは８５〜９７°である。また、研磨したゴム表面の表面粗さも、表面平滑性が上がるほどに微小ドットの再現性が向上する。このため、プラテンローラ２０の表面粗さは中心線平均粗さＲａで１μｍ以下、望ましくは０．５μｍ程度であることが要求される。
【００２９】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。
【００３０】
このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では中間転写フィルム２１の巻付け角度が９０°から１３０°になるようにテンショナ２４を配置する。
【００３１】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
【００３２】
フィルム駆動ローラ２３の駆動は５相ステッピングモータ、タイミングベルト、プーリによる減速機構の組み合わせにより構成される駆動部５４により駆動され、中間転写フィルム２１が正確に搬送される。また、サーマルヘッド１９はニアエッジ、またはコーナエッジタイプのヘッドを用い、熱時剥離による印刷を行うことが望ましい。
【００３３】
転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３４】
図３（ａ）〜（ｃ）は中間転写フィルム２１の構成を示す断面図である。
【００３５】
図３（ａ）に示す中間転写フィルム２１は、基材としてのＰＥＴ（ポリエチレンテレフタレート）フィルム２６の表面に、透明樹脂によるホログラム形成層と金属化合物の蒸着層による透明ホログラム層２８、受像層兼接着層としてのポリエステル系樹脂２９を積層したものである。
【００３６】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３７】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３８】
図４は上記した通帳類取込部４にセットされる媒体としての通帳類Ｔを開いた状態で示すものである。
【００３９】
この通帳類Ｔの開かれた表紙Ｔａの内面には通帳類固有情報としての通帳類固有番号４２が記録されている。
【００４０】
図５は上記した中間転写印刷装置８の駆動制御系を示すブロック図である。
【００４１】
図５中５０は、読取手段としての読取センサで、図２にも示すように転写部１７のヒートローラ３５の近傍に設けられ、中間転写フィルム２１に印刷される複数の画像毎にその近傍に印刷される後述する管理情報１３ａ，１３ｂを読み取るものである。読取センサ５０は判別手段としての判別部５２に接続されている。判別部５２は中間転写フィルム２１に印刷された画像とこの画像が転写される通帳類とが対応しているか否かを読取センサ５０の読取情報に基づいて判別するものである。
【００４２】
判別部５２には送信回路を介して制御部１２が接続されている。制御部１２は判別部５２の判別情報に基づいてフィルム駆動ローラ２３の駆動部５４の駆動を制御する。即ち、管理情報が読み取られた画像とこの画像が転写される通帳類とが対応するように中間転写フィルム２１の送りを制御するものである。
【００４３】
ところで、この実施の形態においては、画像の印刷転写動作時には、中間転写印刷装置８での処理効率を上げるため、印刷部１６と転写部１７の各動作時間が出来るだけ重ね合わさるように並行的に動作されるようになっている。
【００４４】
実際には印刷部１６での処理に要する時間が最も長く、この処理時間内に転写動作を重ね合わせることを考えると、印刷部１６での４色（又はそれ以上）のインクーの重ね合わせ印刷動作の最後の色の印刷動作とほぼ同時に、転写部１７での画像転写動作を行う。
【００４５】
また、転写部１７ではヒートローラ３５で加熱された後の樹脂材料が、一定の温度以下になるように、ヒートローラ３５から剥離シャフト２１ａまでの距離が設けられているため、印刷の最後の色と同時に転写すれば、転写フィルム２１が剥離されるまでの距離を余分に搬送することが可能になる。なお、ヒートローラ３５から剥離シャフト２１ａまでの剥離距離は、３０〜１００ｍｍが望ましい。
【００４６】
また、画像印刷動作時の転写フィルム２１の搬送速度と、画像転写動作時の転写フィルム２１の搬送速度はほぼ同じ速度にされている。これにより、可動範囲の狭いフィルムテンショナ２４であっても限られた速度変動を吸収し、印刷動作と転写動作を並行に行うことができる。このとき、転写フィルム２１の搬送速度は、印刷部１６においてはサーマルヘッド１９の耐印加エネルギー特性やインクリボン２２の基材フィルムの耐熱性などに起因し、転写部１７においては転写フィルム２１の接着層２９の軟化の必要エネルギーや、転写フィルム基材の耐熱温度などに起因し、共に５〜２０ｍｍ／秒が望ましい。
【００４７】
また、上記した中間転写印刷装置８における印刷転写動作、及び通帳類Ｔの搬送動作は印刷装置を制御する制御部１２から発行されるコマンドによって実現される。これらのコマンドは１つの通帳類Ｔに固定のシーケンシャルな番号（以下、シーケンス番号という）を付与する。このシーケンス番号は通帳類Ｔが取込部４から取り込まれて作成が完了し、通帳排出部１１に排出されるまで全てのコマンドで同一の番号となっている。
【００４８】
このシーケンス番号は印刷装置内に取り込まれた通帳類Ｔを識別することを目的としているため、印刷装置内で取り込み、蓄えておくことのできる最大通帳分の数値をサイクリックに付与できれば良い。
【００４９】
この実施例ではシーケンス番号は１６ビットのデータとして管理しており、シーケンス番号が６５５３６に到達すると０にリセットされることになる。この印刷装置においては、通帳類Ｔを最大７冊蓄えることができる。従って、１６ビットのシーケンス番号であれば印刷装置内に取り込んだ通帳類Ｔに対し全て別のシーケンス番号を付与することが可能である。
【００５０】
なお、この実施例では、管理情報１３ａ（１３ｂ）は２ビットの黒色バーマークで表示されるため、読取センサ５０としては、２つの分離型センサを用いて、ビット情報を読み取るようになっている。
【００５１】
次に、上記したように構成される通帳印刷装置の動作について説明する。
【００５２】
この実施の形態では、印刷時には、まず、印刷部１６のサーマルヘッド１９により、溶融インクリボン２２のシアンインク２２Ｃ，マゼンタインク２２Ｍ，イエローインク２２Ｙを中間転写フィルム２１に重ね転写させて所持人のカラー顔画像を印刷する。これら各色のインク２２Ｃ，２２Ｍ，２２Ｙの転写は各色毎の印刷コマンドに同一のシーケンス番号を付与して制御部１２から印刷部１６に発行される。
【００５３】
このカラー顔画像の印刷動作中に、通帳取込部４から通帳類Ｔが取込まれて搬送され（搬送工程）、この通帳類Ｔはページ捲り部６でページ捲りコマンドにより表紙が捲られて所定のページが開かれる。こののち、ＯＣＲ部５でＯＣＲ読み取りコマンドにより、通帳固有情報４２が読み取られて認識処理される。また、このときには、通帳取込部４から新たな通帳類Ｔが取り込まれ、この通帳類Ｔに関するコマンドには新たなシーケンス番号が付与される。
【００５４】
ＯＣＲ部５で認識された情報はＯＣＲ読取コマンドのレスポンスとして制御部１２に送信され、制御部１２では認識結果に基づいて黒色で印刷されるセキュリティ情報に通帳固有情報を追加する。通帳固有情報が付与された黒印刷情報は制御部１２から黒色印刷コマンドとして印刷部１６に発行され、サーマルヘッド１９に転送される黒印刷データが形成される。
【００５５】
この黒色印刷データに基づいてサーマルヘッド１９により、溶融インクリボン２２のインク２２Ｂが中間転写フィルム２１に転写されてセキュリティ情報及び通帳固有情報が図６に示すようにストック画像として複数黒色印刷される（印刷工程）。
【００５６】
ところで、この黒色印刷時には、図７に示すように、ストック画像の頭出しに用いる黒色バーマーク４５が中間転写フィルム２１の複数のストック画像の近傍にそれぞれ印刷される。
【００５７】
また、このときには、ストック画像番号とストック通帳番号に合ったコマンドに付属したシーケンス番号から生成した管理情報１３ａ，１３ｂがストック画像の近傍に印刷される。この管理情報１３ａ，１３ｂはバーマークによるビット情報でも、数値でもバーコードでも構わない。
【００５８】
また、中間転写印刷装置８内で蓄える通帳類Ｔの冊数が最大３冊のため、シーケンス番号の下２ビットを取り出し、２ビットの黒色マークを管理情報１３ａ，１３ｂとして印刷している。例えば、黒色印刷時のシーケンス番号が００００であれば管理番号は００となり、管理情報黒色マークはなし、シーケンス番号が０００２であれば管理番号は２となり、管理情報黒色マークはビットで表すと１０となる。
【００５９】
上記した所持人のカラー顔画像の印刷、及び通帳固有情報を追加したセキュリティ情報の黒色印刷完了後、中間転写フィルム２１の位置出用の黒色バーマーク４５が検知センサ（図示しない）で検知され、この検知情報に基づいて転写部１７で転写すべき画面の頭出しが行なわれる。
【００６０】
また、このときには、読取センサ５０によって管理情報１３ａ（１３ｂ）が読み取られ（読取工程）、この読取情報は判別部５２に送信される。判別部５２では読み取られた画像とこの画像が転写される通帳類とが対応するか否かを判別する（判別工程）。
【００６１】
この判別部５２で、対応していると判別された場合には、中間転写フィルム２１の位置出しを完了する。対応していないと判別された場合には、中間転写フィルム２１を再度、搬送して転写画面の頭出し動作を行い、この頭出しされた画像とこの画像が転写される通帳類とが対応するか否かが判別される。対応すると判別された場合には、中間転写フィルム２１の転写画面の位置出しを完了する。
【００６２】
このようにして、転写画面の位置出しが完了したら、中間転写フィルム２１は順方向（ヒートローラ３５の方向）に巻き取られ、図８（ａ）に示すように転写開始位置まで送られる。また、このとき通帳類Ｔは、画像が転写されるページが開かれた状態で図８（ｂ）に示すように取り込まれて、ヒートローラ３５に対して決められた位置に搬送される。転写されるページは、表紙見返しページでも、他の中紙ページでもかまわない。
【００６３】
このように互いに位置決めされた中間転写フィルム２１と通帳類Ｔの該当ベージは、図８（ｃ）に示すように円周の一部が切り欠かれた形状の金属製ヒートローラ３５の回転と共に重ね合わされ、搬送と共に加圧加熱される。その後、図９に示すように通帳類Ｔに対して６０°〜１１０°の角度をもって転写フィルムベース２６が引き上げられて、セキュリティ情報４６と受像兼接着層２９、ホログラム層２８の転写が完了し（転写工程）、図１０に示すように固有情報４２、固有情報４２を含むセキュリティ情報４６及び所持人の顔画像４４が印刷される。印刷が完了した通帳類Ｔは、図８（ｄ）に示すようにページが開かれた状態のまま次の通帳排出部１１に搬出される。
【００６４】
一方、この画像転写時には、これと並行して印刷部１６では、黒色印刷データに基づいて中間転写フィルム２１に黒色印刷が行われる。このとき、印刷部１６で印刷されたセキュリティ情報は、中間転写フィルム２１の搬送により第２のストック画像Ｓ２となる。ストック通帳類Ｔ２は、ヒートローラ３５の下部側に搬送され、ストック通帳類Ｔ２に合った管理情報をもとにストック画像Ｓ２の転写画面頭出しが行われてヒートローラ３５の下部側に送られる。こののち、ヒートローラ３５が回転され、ストック画像Ｓ２が上記したと同様に通帳類Ｔ２に転写されて一連の通帳作成動作が完了する。
【００６５】
なお、印刷装置内への取り込みコマンドでストック通帳類Ｓ２に振られたシーケンス番号が０００２だった場合、ストック通帳Ｓ２に転写されるべき印刷情報の管理番号ビット情報は１０となっており、転写部１７でストック通帳Ｓ２に対する転写画面の頭出しの際は、転写部１７において管理情報１０を読取センサ５０で読み取って確認した後、転写動作を行うこととなる。
【００６６】
ところで、上記したストック通帳Ｔ１〜Ｔ３の搬送時においてジャムが発生し、このジャムした通帳類を取り除いた場合、中間転写フィルム２１のストック画像Ｓ１〜Ｓ３の並びと、ストック通帳類Ｔ１〜Ｔ３の並びが異なることになる。
【００６７】
例えば、シーケンス番号０〜２の通帳類Ｔ１〜Ｔ３が搬送バッファ９，１０と転写部１７にあった場合、第２のストック通帳類Ｔ２でジャムが生じ、この第２のストック通帳類Ｔ２を取り除いたとすると、第２のストック通帳類Ｔ２を制御するシーケンス番号が１であった場合、搬送路上の通帳類のシーケンス番号の並びは０，２と不連続になるが、中間転写リボン２１上のストック画像はシーケンス番号０，１，２と連続のままである。従がって、このまま単に、印刷および転写動作を継続させると、次に転写される通帳類と次に転写すべき画面との整合性が得られなくなる。
【００６８】
しかし、この実施の形態では、上記したように、管理情報１３ａ，１３ｂを読取センサ５０で読み取り、この画像とこの画像を転写する通帳類とが一致するか否かを判別し、一致しないと判別した場合には、一致するまで画像を先送りする。従がって、通帳類に対し間違った画像を印刷することがなく、通帳類の破棄枚数を削減できる。
【００６９】
なお、本発明は、上記一実施の形態に限られることなく、その要旨の範囲内で種々変形実施可能なことは勿論である。
【図面の簡単な説明】
【００７０】
【図１】本発明の一実施の形態である通帳類の印刷装置を示す概略的構成図。
【図２】同印刷装置の中間転写印刷装置を示す図。
【図３】同中間転写印刷装置で用いられる転写フィルムを示すもので、（ａ）はその第１の例、（ｂ）はその第２の例、（ｃ）はその第３の例を示す構成図。
【図４】同通帳類を開いた状態で示す図。
【図５】同中間転写印刷装置の駆動制御系を示すブロック図。
【図６】同中間転写印刷装置におけるストック画像及びストック通帳類を示す図。
【図７】同中間転写印刷装置で用いられる中間転写フィルムを示す平面図。
【図８】同中間転写印刷装置の転写動作を示す図。
【図９】同中間転写印刷装置の転写動作の一部を拡大して示す図。
【図１０】同中間転写装置で印刷された通帳類を示す平面図。
【符号の説明】
【００７１】
４２…固有情報、Ｔ…通帳類、２…搬送ローラ（搬送手段）、、１２…制御部（制御手段）、１３ａ，１３ｂ…管理情報、１６…印刷部（印刷手段）、１７…転写部（転写手段）、２１…中間転写フィルム（中間転写媒体）、５０…読取センサ（読取手段）、５２…判別部（判別手段）。
【図１】
2005231183.tif 000003
【図２】
2005231183.tif 000004
【図３】
2005231183.tif 000005
【図４】
2005231183.tif 000006
【図５】
2005231183.tif 000007
【図６】
2005231183.tif 000008
【図７】
2005231183.tif 000009
【図８】
2005231183.tif 000010
【図９】
2005231183.tif 000011
【図１０】
2005231183.tif 000012